(57)【要約】      （修正有）【課題】ローカル拡散を用いてシグナリングを送信する技法を提供する。【解決手段】送信機（例えば、基地局）は、複数のシグナリングシンボルを拡散して出力シンボルの複数のセットを取得し、更に、出力シンボルの複数のセットを複数の時間周波数ブロックへマッピングする。拡散は各時間周波数ブロックにローカル化されてもよい。拡散に先立って、送信機は、複数のシグナリングシンボルを、これらのシグナリングシンボルの送信電力に基づいて判定された複数の利得で基準化してもよい。送信機は、基準化されたシグナリングシンボルをスクランブルして、スクランブルされたシンボルを取得してもよく、また、スクランブルされたシンボルを拡散して出力シンボルの複数のセットを取得してもよい。送信機は、出力シンボルの各セットをそれぞれの時間周波数ブロックにマッピングしてもよい。【選択図】図９
2014239505.tif 000002
【特許請求の範囲】
【請求項１】
複数のシグナリングシンボルを拡散して出力シンボルの複数のセットを取得し、出力シンボルの各セットは、前記複数のシグナリングシンボルを拡散マトリクスを用いて拡散することによって取得されており、また、前記出力シンボルの複数のセットを複数の時間周波数ブロックにマッピングするように構成された、少なくとも１つのプロセッサと、
前記少なくとも１つのプロセッサに結合されたメモリと
を備える、無線通信のための装置。
【請求項２】
前記拡散マトリクスは、離散フーリエ変換（ＤＦＴ）マトリクス又はウォルシュマトリクスを備える、請求項１に記載の装置。
【請求項３】
前記少なくとも１つのプロセッサは、前記複数のシグナリングシンボルをスクランブルして、スクランブルされたシンボルを取得し、前記スクランブルされたシンボルを拡散して、前記出力シンボルの複数のセットを取得するように構成される、請求項１に記載の装置。
【請求項４】
前記少なくとも１つのプロセッサは、前記複数のシグナリングシンボルの各々をそれぞれのスクランブリングシーケンスでスクランブルして、前記シグナリングシンボルについて複数のスクランブルされたシンボルを取得し、各セットが前記複数のシグナリングシンボルの各々についての１つのスクランブルされたシンボルを含むように、スクランブルされたシンボルの複数のセットを形成し、スクランブルされたシンボルの各セットについて出力シンボルの１つのセットというように、前記スクランブルされたシンボルの複数のセットを拡散して、前記出力シンボルの複数のセットを取得するように構成される、請求項１に記載の装置。
【請求項５】
前記少なくとも１つのプロセッサは、前記複数のシグナリングシンボルを、前記複数のシグナリングシンボルの送信電力に基づいて判定された複数の利得を用いて基準化するように構成される、請求項１に記載の装置。
【請求項６】
前記少なくとも１つのプロセッサは、前記複数の利得のうちで最大の利得と最小の利得とを判定し、前記最大の利得の前記最小の利得に対する比率を所定値未満に制限するように構成される、請求項５に記載の装置。
【請求項７】
前記少なくとも１つのプロセッサは、前記出力シンボルの複数のセットの各々を、前記複数の時間周波数ブロックのうちの１つの中の隣接するリソースユニットのクラスタへマッピングするように構成される、請求項１に記載の装置。
【請求項８】
前記複数のシグナリングシンボルは肯定応答（ＡＣＫ）シンボルを備える、請求項１に記載の装置。
【請求項９】
複数のシグナリングシンボルを拡散して、出力シンボルの複数のセットを取得し、出力シンボルの各セットは前記複数のシグナリングシンボルを拡散マトリクスを用いて拡散することによって取得され、
前記出力シンボルの複数のセットを複数の時間周波数ブロックにマッピングする
ことを含む、無線通信のための方法。
【請求項１０】
前記複数のシグナリングシンボルをスクランブルして、スクランブルされたシンボルを取得し、前記複数のシグナリングシンボルの前記拡散は、前記スクランブルされたシンボルを拡散して、前記出力シンボルの複数のセットを取得する
ことを更に含む、請求項９記載の方法。
【請求項１１】
前記複数のシグナリングシンボルを、前記複数のシグナリングシンボルの送信電力に基づいて判定される複数の利得を用いて基準化する
ことを更に含む、請求項９記載の方法。
【請求項１２】
前記出力シンボルの複数のセットを前記マッピングすることは、前記出力シンボルの複数のセットの各々を、前記複数の時間周波数ブロックのうちの１つの中の隣接するリソースユニットのクラスタへマッピングすることを含む、請求項９に記載の方法。
【請求項１３】
複数のシグナリングシンボルを拡散して、出力シンボルの複数のセットを取得する手段であって、出力シンボルの各セットは、前記複数のシグナリングシンボルを拡散マトリクスで拡散することによって取得される、手段と、
前記出力シンボルの複数のセットを複数の時間周波数ブロックにマッピングする手段と
を備える、無線通信のための装置。
【請求項１４】
前記複数のシグナリングシンボルをスクランブルして、スクランブルされたシンボルを取得する手段を更に備え、
前記複数のシグナリングシンボルを拡散する前記手段は、前記スクランブルされたシンボルを拡散して、前記出力シンボルの複数のセットを取得する手段を備える、請求項１３記載の装置。
【請求項１５】
前記出力シンボルの複数のセットをマッピングする前記手段は、前記出力シンボルの複数のセットの各々を、前記複数の時間周波数ブロックのうちの１つの中の隣接するリソースのクラスタにマッピングする手段を備える、請求項１３記載の装置。
【請求項１６】
コンピュータに、複数のシグナリングシンボルを拡散させて、出力シンボルの複数のセットを取得させるコードであって、出力シンボルの各セットは前記複数のシグナリングシンボルを拡散マトリクスで拡散させることによって取得される、コードと、
前記コンピュータに、前記出力シンボルの複数のセットを複数の時間周波数ブロックにマッピングさせるコードと
を含むコンピュータ読み取り可能な媒体
を備える、コンピュータプログラムプロダクト。
【請求項１７】
複数のシグナリングシンボルを拡散を用いて送信するために用いられる複数の時間周波数ブロックから、受信されたシンボルの複数のセットを取得し、前記受信されたシンボルの複数のセットを逆拡散して、複数の逆拡散シンボルを取得し、前記複数の逆拡散シンボルに基づいて、前記複数のシグナリングシンボルのうちの１つについてのシグナリングシンボル推定を得るように構成された、少なくとも１つのプロセッサと、
前記少なくとも１つのプロセッサと結合されるメモリと
を備える、無線通信のための装置。
【請求項１８】
前記少なくとも１つのプロセッサは、前記受信されたシンボルの複数のセットの各々を、逆拡散マトリクスを用いて逆拡散して、前記複数の逆拡散シンボルのうちの１つを取得するように構成される、請求項１７記載の装置。
【請求項１９】
前記逆拡散マトリクスは、逆離散フーリエ変換（ＩＤＦＴ）マトリクス又はウォルシュマトリクスを備える、請求項１８記載の装置。
【請求項２０】
前記少なくとも１つのプロセッサは、前記複数の逆拡散シンボルをデスクランブルして、複数のデスクランブルされたシンボルを取得し、前記複数のデスクランブルされたシンボルに基づいて前記シグナリングシンボル推定を得るように構成される、請求項１７記載の装置。
【請求項２１】
前記少なくとも１つのプロセッサは、前記複数の時間周波数ブロックについての複数の重みを判定し、前記複数の逆拡散シンボルを前記複数の重みで基準化して、複数の基準化されたシンボルを取得し、前記複数の基準化されたシンボルを結合して、前記シグナリングシンボル推定を取得するように構成される、請求項１７記載の装置。
【請求項２２】
前記少なくとも１つのプロセッサは、前記受信されたシンボルの複数のセットの各々を、前記複数の時間周波数ブロックのうちの１つの中の隣接するリソースユニットのクラスタから取得するように構成される、請求項１７記載の装置。
【請求項２３】
前記複数のシグナリングシンボルは肯定応答（ＡＣＫ）シンボルを備える、請求項１７記載の装置。
【請求項２４】
受信されたシンボルの複数のセットを、複数のシグナリングシンボルを拡散を用いて送信するために用いられる複数の時間周波数ブロックから取得し、
前記受信されたシンボルの複数のセットを逆拡散して複数の逆拡散シンボルを取得し、
前記複数の逆拡散シンボルに基づいて前記複数のシグナリングシンボルのうちの１つについてのシグナリングシンボル推定を得る
ことを含む、無線送信のための方法。
【請求項２５】
前記複数の逆拡散シンボルをデスクランブルして、複数のデスクランブルされたシンボルを取得し、
前記複数のデスクランブルされたシンボルに基づいて前記シグナリングシンボル推定を導く
ことを更に含む、請求項２４記載の方法。
【請求項２６】
前記受信されたシンボルの複数のセットの前記逆拡散することは、前記受信されたシンボルの複数のセットの各々を逆拡散マトリクスを用いて逆拡散して、前記複数の逆拡散シンボルのうちの１つを取得することを含む、請求項２４記載の方法。
【請求項２７】
前記シグナリングシンボル推定を前記得ることは、
前記複数の時間周波数ブロックについての複数の重みを判定し、
前記複数の逆拡散シンボルを前記複数の重みを用いて基準化して、複数の基準化されたシンボルを取得し、
前記複数の基準化されたシンボルを結合して、前記シグナリングシンボル推定を取得する
ことを含む、請求項２４記載の方法。
【請求項２８】
前記受信されたシンボルの複数のセットを前記取得することは、前記受信されたシンボルの複数のセットの各々を、前記複数の時間周波数ブロックのうちの１つの中の隣接するリソースユニットのクラスタから取得することを含む、請求項２４記載の方法。
【請求項２９】
受信されたシンボルの複数のセットを、複数のシグナリングシンボルを拡散を用いて送信するために用いられる複数の時間周波数ブロックから取得する手段と、
前記受信されたシンボルの複数のセットを逆拡散して、複数の逆拡散シンボルを取得する手段と、
前記複数の逆拡散シンボルに基づいて前記複数のシグナリングシンボルのうちの１つについてのシグナリングシンボル推定を得る手段と
を備える、無線通信のための装置。
【請求項３０】
前記複数の逆拡散シンボルをデスクランブルして、複数のデスクランブルされたシンボルを取得する手段と、
前記複数のデスクランブルされたシンボルに基づいて前記シグナリングシンボル推定を得る手段と
を更に備える、請求項２９記載の装置。
【請求項３１】
前記受信されたシンボルの複数のセットを前記逆拡散する手段は、前記受信されたシンボルの複数のセットの各々を拡散マトリクスを用いて逆拡散して、前記複数の逆拡散シンボルのうちの１つを取得する手段を備える、請求項２９記載の装置。
【請求項３２】
コンピュータに、受信されたシンボルの複数のセットを、拡散を用いて複数のシグナリングシンボルを送信するために用いられる複数の時間周波数ブロックから取得させるコードと、
前記コンピュータに、前記受信されたシンボルの複数のセットを逆拡散させて、複数の逆拡散シンボルを取得させるコードと、
前記コンピュータに、前記複数の逆拡散シンボルに基づいて前記複数のシグナリングシンボルのうちの１つについてのシグナリングシンボル推定を得させるコードと
を含むコンピュータ読み取り可能な媒体
を備える、コンピュータプログラムプロダクト。
【発明の詳細な説明】
【技術分野】
【０００１】
[優先権の主張]
本願は、２００６年９月８日に出願され、”ACK Spreading Design（ＡＣＫ拡散設計）”と題され、本願の譲受人に譲渡され、参照することによって本明細書に組み込まれる、米国仮特許出願第６０／８４３，３６６号の優先権を主張する。
【０００２】
本開示は一般に、通信に関し、特に、無線通信システムにおいてシグナリングを送信する技法に関する。
【背景技術】
【０００３】
無線通信システムは広く用いられて、音声、ビデオ、パケットデータ、メッセージング、ブロードキャスト等、種々の通信サービスを提供している。これらのシステムは、使用可能なシステムリソースを共有することで複数のユーザの通信をサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡＡ）システム、及びシングルキャリアＦＤＭＡ（ＳＣ−ＦＤＭＡ）システムが含まれる。
【０００４】
無線通信システムは、任意の数の端末の通信をサポートすることができる、任意の数の基地局を備え得る。各基地局は、当該基地局にサービスされる端末にデータ及びシグナリングを送信し得る。各端末はまた、データ及びシグナリングをそのサービスしている基地局に送信し得る。送信機は、シグナリングを、それが意図された受信機によって容易に受信されることができるように送信することが望ましいことがあり得る。これは、シグナリングの符号化及び／又は繰り返しによって、また符号化された及び／又は繰り返されたシグナリングを、シグナリングに割り当てられた無線リソースで送信することで達成され得る。シグナリングをこのように送信することは、検出性能を改善し得る。しかしながら、シグナリングに割り当てられた無線リソースが通常よりも大きな干渉を観測し、シグナリングが誤って受信され得る一部の場合もあり得る。
【０００５】
従って、干渉の変動の下で良好な検出性能を達成する方法でシグナリングを送信する技法への必要性が当分野にはある。
【概要】
【０００６】
良好な検出性能を達成するためにローカル拡散を用いてシグナリングを送信する技法が本明細書に記載される。一つの設計において、送信機（例えば、基地局）は、複数のシグナリングシンボルを拡散して、出力シンボルの複数のセットを取得し得る。複数のシグナリングシンボルは肯定応答（ＡＣＫ）シンボル及び/又は他のタイプのシグナリングシンボルを含み得る。送信機は、複数のシグナリングシンボルを、拡散マトリクスを用いて拡散することにより、出力シンボルの各セットを取得し得る。送信機は次いで、出力シンボルの１つのセットが各時間周波数ブロックにマッピングされるように、出力シンボルの複数のセットを複数の時間周波数ブロックにマッピングし得る。拡散はこのように、各時間周波数ブロックにローカル化され得る。受信機（例えば、端末）は、所定の一つ又は複数のシグナリングシンボルを回復するために補足的な逆拡散を行なってもよい。
【０００７】
別の設計において、送信機は、複数のシグナリングシンボル（これらは異なる受信機を対象としてもよい）を、これらのシグナリングシンボルの送信電力に基づいて判定された複数の利得で基準化してもよい。送信機は、基準化されたシグナリングシンボル各々をそれぞれのスクランブリングシーケンスでスクランブルして、当該シグナリングシンボルの複数のスクランブルされたシンボルを取得し得る。送信機は、各セットが複数のシグナリングシンボルの各々について１つのスクランブルされたシンボルを含むように、スクランブルされたシンボルの複数のセットを形成してもよい。送信機は、スクランブルされたシンボルの各セットを拡散マトリクスで拡散して、出力シンボルの対応するセットを取得し得る。送信機は次いで、出力シンボルの各セットをそれぞれの時間周波数ブロックにマッピングし得る。受信機は、所定の一つ又は複数のシグナリングシンボルを回復するために補足的な逆拡散を行なってもよい。
【０００８】
本開示の種々の面及び特徴は、以下に更に詳細に記載される。
【図面の簡単な説明】
【０００９】
【図１】図１は、無線通信システムを示す。
【図２】図２は、例示の送信構成を示す。
【図３】図３は、４つのＡＣＫビットの例示の送信を示す。
【図４】図４は、複数のタイルの各々のローカル拡散を示す。
【図５】図５は、各タイルのローカル拡散を用いる逆拡散を示す。
【図６】図６は、ローカル拡散を用いるＡＣＫシグナリングの送信を示す。
【図７】図７は、３つのタイルへのＡＣＫシグナリングの出力シンボルのマッピングを示す。
【図８】図８は、ローカル拡散を用いて送信される、ＡＣＫシグナリングの受信を示す。
【図９】図９は、ローカル拡散を用いてシグナリングを送信する処理を示す。
【図１０】図１０は、ローカル拡散を用いてシグナリングを送信する装置を示す。
【図１１】図１１は、ローカル拡散を用いてシグナリングを送信する、別の処理を示す。
【図１２】図１２は、ローカル拡散を用いてシグナリングを送信する、別の装置を示す。
【図１３】図１３は、ローカル拡散を用いて送信されるシグナリングを受信する処理を示す。
【図１４】図１４は、ローカル拡散を用いて送信されるシグナリングを受信する装置を示す。
【図１５】図１５は、ローカル拡散を用いて送信されるシグナリングを受信する別の処理を示す。
【図１６】図１６は、ローカル拡散を用いて送信されるシグナリングを受信する別の装置を示す。
【図１７】図１７は、端末及び基地局のブロック図である。
【詳細な説明】
【００１０】
図１は、複数の基地局１１０と複数の端末１２０を備える無線通信システム１００を示す。基地局は端末と通信する局である。基地局はまた、アクセスポイント、ノードＢ、ｅｖｏｌｖｅｄノードＢ等とも称され得る。各基地局１１０は、特定の地理的な領域１０２に通信カバレッジを提供する。「セル」という用語は、当該用語が用いられる文脈によって、基地局及び／又はそのカバレッジ領域に言及することができる。システム容量を改善すべく、基地局カバレッジ領域は複数のより小さな領域、例えば３つのより小さな領域１０４ａ、１０４ｂ及び１０４ｃに分割され得る。より小さな領域の各々は、それぞれの基地局サブシステムによってサービスされ得る。「セクタ」という用語は、基地局の最小のカバレッジ領域、及び／又はこのカバレッジ領域にサービス中のサブシステムに言及し得る。
【００１１】
端末１２０はシステム全体に渡って分散されてもよく、また各端末は固定されていても、移動可能であってもよい。端末はまた、アクセス端末、移動局、ユーザ機器、加入者ユニット、局等とも称され得る。端末は、携帯電話、パーソナルデジタルアシスタント（ＰＤＡ）、無線デバイス、無線モデム、ハンドヘルドデバイス、ラップトップ型コンピュータ等であってもよい。端末は、ゼロ個、１個、又は複数個の基地局と順方向リンク及び／又は逆方向リンクで任意の所与の瞬間に通信し得る。順方向リンク（又はダウンリンク）は、基地局から端末への通信リンクをいい、逆方向リンク（又はアップリンク）は端末から基地局への通信リンクをいう。「端末」及び「ユーザ」という用語は本明細書において互換的に用いられる。
【００１２】
本明細書に記載される技法は、ＣＤＭＡシステム、ＴＤＭＡシステム、ＦＤＭＡシステム、ＯＦＤＭＡＡシステム及びＳＣ−ＦＤＭＡシステムといった、種々の無線通信システムに用い得る。ＣＤＭＡシステムは符号分割多重化（ＣＤＭ）を利用し、異なる直交符号を用いて送信を送る。ＴＤＭＡシステムは時分割多重化（ＴＤＭ）を利用し、異なるタイムスロットで送信を送る。ＦＤＭＡシステムは周波数分割多重化（ＦＤＭ）を利用し、異なる副搬送波上で送信を送る。ＯＦＤＭＡは直交周波数分割多重（ＯＦＤＭＡ）を利用し、ＳＣ−ＦＤＭＡシステムはシングルキャリアの周波数分割多重（ＳＣ−ＦＤＭ）を利用する。ＯＦＤＭＡ及びＳＣ−ＦＤＭはシステム帯域幅を複数の直交副搬送波へ分割するが、これらはトーン（tones）、ビン（bins）などとも称される。各副搬送波はデータで変調され得る。一般に、変調シンボルは、ＯＦＤＭＡを用いて周波数領域、及びＳＣ−ＦＤＭを用いて時間領域で送られる。技法はまた、例えばＣＤＭＡ及びＯＦＤＭＡ、又はＯＦＤＭＡ及びＳＣ−ＦＤＭ等といった、多重化スキームの組み合わせを利用する無線通信システムに使用され得る。明確にするために、技法の一部の面は、順方向リンク上のＯＦＤＭＡを利用するシステムについて以下に記載される。技法の一部の面はまた、公に利用可能である、２００７年５月１８日付の”Physical Layer for Ultra Mobile Broadband (UMB) Air Interface Specification”（ＵＭＢ無線インタフェースのための物理層仕様書）と題された、3GPP2 C.S0084-001-0に記載されたＵＭＢ（Ultra Mobile Broadband）無線技術を導入するシステムについて詳細に記載される。
【００１３】
本明細書に記載される技法はまた、種々のタイプのシグナリングに使用され得る。例えば、技法は、出力制御（power control）コマンド、パケット等のための肯定応答（ＡＣＫs）及び否定応答（ＮＡＫs）に使用されてもよい。明確にするために、技法の一部の面はＡＣＫ/ＮＡＫシグナリングについて以下に記載される。
【００１４】
図２は、順方向リンクに使用され得る送信構造２００の設計を示す。送信タイムラインはフレームへ分割されてもよいが、これらも物理層（ＰＨＹ）フレーム、タイムスロットなどと称され得る。各フレームは特定の時間に及び得るが、これは固定されても、設定可能であってもよい。各フレームはＴシンボル期間に及び得るが、ここで、一般に
【数１】
2014239505.tif 000003
【００１５】
であり、一つの設計ではＴ＝８である。シンボル期間は１つのＯＦＤＭＡシンボルの期間である。
【００１６】
システム帯域幅は複数の（Ｋ）直交副搬送波に分割され得る。合計Ｋ個全ての副搬送波は送信に使用可能であり得る。あるいは、合計Ｋ個の副搬送波のサブセットだけが送信には使用可能であって、残りの副搬送波は、システムがスペクトルマスク要件（spectral mask requirements）を満たすことを可能にするために、ガードサブキャリア（guard subcarriers）としての役割を果たしてもよい。一つの設計において、副搬送波間の間隔は固定され、副搬送波の数（Ｋ）はシステム帯域幅に依存する。一つの設計において、Ｋは、１.２５、２.５、５.０、１０又は２０ＭＨｚのシステム帯域幅について、それぞれ１２８、２５６、５１２、１０２４又は２０４８に等しくてもよい。
【００１７】
順方向リンク用に使用可能な時間及び周波数リソースはタイルに分割されてもよく、それらはまた、時間周波数ブロック、リソースブロックなどと称され得る。タイルは、Ｔシンボル期間中のＳ個の副搬送波をカバーし得るが、ここで、一般に
【数２】
2014239505.tif 000004
【００１８】
である。一つの設計において、タイルは、８つのシンボル期間中の１６個の副搬送波をカバーする。タイルはまた、他の設計において他のＳ×Ｔの大きさ（dimensions）を有していてもよい。タイル中のＳ個の副搬送波は、連続する副搬送波であっても、あるいはシステム帯域幅にわたって分散されてもよい。タイルは、最高で
【数３】
2014239505.tif 000005
【００１９】
個のシンボルを送信するのに用いられ得る
【数４】
2014239505.tif 000006
【００２０】
個のリソースユニットを備える。リソースユニットは１つのシンボル期間中の１つの副搬送波であり、また、リソースエレメント、副搬送波シンボル等とも称され得る。所与のタイルについて、いくつかのリソースユニットはパイロットシンボルに使用されてもよく、残りのリソースユニットはデータ及び/又はシグナリングシンボルに使用されてもよい。
【００２１】
本明細書においては、データシンボルはトラヒックデータのシンボルであり、シグナリングシンボルはシグナリングのシンボルであり、パイロットシンボルはパイロットのシンボルであり、また、シンボルは複素数値である。パイロットは送信機と受信機との両方によって先験的に知られるデータである。
【００２２】
一つ又は複数のシグナリングチャネルが定義されてもよく、また、充分な数のタイルに割り当てられてもよい。例えば、順方向リンク・コントロール・セグメント（ＦＬＣＳ）が定義されてもよく、また順方向の肯定応答チャンネル（Ｆ-ＡＣＫＣＨ）のような多くのシグナリング／制御チャネルを含んでもよい。ＦＬＣＳは、ダイバーシティを達成するために、時間及び周波数にわたって分散されたタイルに割り当てられ得る。異なる制御チャネルは、ＦＬＣＳに割り当てられたタイル中の異なるリソースユニットに割り当てられてもよい。各制御チャネルのシグナリングは、当該制御チャネルに割り当てられたリソースユニット上で送られてもよい。
【００２３】
Ｆ-ＡＣＫＣＨのような制御チャネルは、所与の送信においてユーザのための１つの情報ビット又は１つのシグナリングシンボルを伝達し得る。情報ビットは、２つの可能な値（例えば、０と１）のうちの１つを有し得るが、シグナリングシンボルには２つ以上の可能な実数値か複素数値のうちの１つを有し得る。ダイバーシティを保証し、且つ信頼性を改善するために、シグナリングシンボル又は情報ビットは、複数のリソースユニットで繰り返され送られてもよいが、当該リソースユニットは多くの副搬送波及び／又はシンボル期間にわたって分散されてもよい。
【００２４】
図２は、１人のユーザのためのＡＣＫビットの送信例を示す。この例において、ＡＣＫビットはＦＬＣＳの３個のタイル中の３つのリソースユニットで繰り返され送られる。ＡＣＫビットを周波数を横切って送ることは周波数ダイバーシティを提供し得る。
【００２５】
ＡＣＫビットに使用されるリソースユニットはタイル間干渉変化（intra-tile interference variations）を観測し得るが、これはタイル内の干渉における変化である。タイル間干渉変化は、タイル中の他のシンボルの干渉出力（interference power）と同じでないタイル中のパイロットシンボルの干渉出力に対応してもよい。タイル間干渉変化は近隣のセクタの高い電力制御チャネル（power control channels）に起因することがあり、また、性能を低下させることがある。
【００２６】
タイル間干渉変化を緩和するために、ＡＣＫビットはより多くのリソースユニットにわたって拡散され、送られてもよいが、これは干渉変化のより大きな平均化を提供し得る。同じオーバヘッド（例えば、図２に示される例の場合、ＡＣＫビットあたり３つのリソースユニット）を維持するために、複数のＡＣＫビットは、拡散マトリクスを用いて一緒に拡散されて、出力シンボルが取得されてもよいが、これはリソースユニット上で送られ得る。
【００２７】
図３は、４個のＡＣＫビットのベクトルの送信の設計を示すが、これは、４人の異なるユーザ、あるいは一つ又は複数のユーザからの４つのパケット用であり得る。この設計において、４個のＡＣＫビットは１２×４の拡散マトリクスを用いて拡散されて、１２個の出力シンボルが取得され得るが、これらは１２個のリソースユニット上で送られ得る。図３に示される設計では、最初の４つの出力シンボルは第１のタイル中の４つのリソースユニット上で送られてもよく、次の４つの出力シンボルは第２のタイルで送られてもよく、また、最後の４つの出力シンボルは第３のタイルで送られてもよい。各ＡＣＫビットは次いで、１２個のリソースユニットにわたって送られてもよく、従って、タイル間干渉変化に起因する性能の低下の傾向が少なく成り得る。
【００２８】
一般に、送信機は、任意の数（Ｌ個）のシグナリングシンボルを拡散して、任意の数（Ｑ個）の出力シンボルを取得し得る。一つの設計において、Ｌ個の出力シンボルがＭ個のタイルの各々で送られ得るように、ＱはＬの整数の倍数であるか、又は、
【数５】
2014239505.tif 000007
【００２９】
である。受信機は、所定の一つ又は複数のシグナリングシンボルを回復する（recover）ために補足的な逆拡散（complementary despreading）を行なってもよい。送信機によって行なわれる拡散及び受信機によって行われる補足的な逆拡散は、タイル内の干渉変化の平均化を提供し得る。従って、タイル間干渉変化の影響は緩和され得る。
【００３０】
送信機は、検出性能を改善し、且つ受信機による処理を簡略化する方法で、拡散を行ない得る。任意のＱ×Ｌの拡散マトリクスは、各シグナリングシンボルが長さＱの異なる拡散シーケンスによって拡散されるように選択されてもよい。この場合、受信機は、Ｑ個の出力シンボルを送るために用いられるＱ個のリソースユニット全てにわたって、これらのＱ個のリソースユニットにわたるチャネル応答における変化を考慮するために、等化を行なってもよい。等化は、最小平均２乗誤差（ＭＭＳＥ）、最小自乗法（ＬＳ）あるいは他の何らかの技法に基づいてもよい。非常に周波数選択的なチャネルでは、チャネル応答における広い変化は、Ｑ×Ｌ拡散マトリクス中のＬ個の拡散シーケンスのうちの直交性の大きな損失という結果になり得る。この直交性の損失は等化を用いても性能の低下をもたらし得る。
【００３１】
ある面において、複数のシグナリングシンボルは干渉変化に対抗するために拡散されてもよい。拡散は、等化損失に起因する性能劣化を緩和し、且つ受信機処理を簡略化するために、シグナリングシンボルを送るために使用されるタイルごとにローカル化され（localized）てもよい。一つの設計において、拡散は、より小さな可逆行列から構成される拡散マトリクスに基づく。一つの設計において、Ｑ×Ｌの全体的な拡散マトリクスＳは、Ｍ個のより小さなＬ×Ｌのベース拡散マトリクスを連結することにより形成されてもよい。出力シンボルのＭ個のセットはＭ個のベース拡散マトリクスを用いて取得されてもよく、また、Ｍ個の異なるタイル上で送られてもよい。
【００３２】
一つの設計において、単一のタイプのベース拡散マトリクスが使用され、全体的な拡散マトリクスＳは、このベース拡散マトリクスのＭ個のコピーから構成される。ベース拡散マトリクスは、離散フーリエ変換（ＤＦＴ）マトリクス、ウォルシュマトリクス（これはアダマール行列とも称される）、ユニタリ行列等であってもよい。別の設計においては、全体的な拡散マトリクスＳは異なるタイプのベース拡散マトリクスから構成され得る。例えば、Ｌ個のシグナリングシンボルはＤＦＴマトリクスを用いて拡散され、１枚のタイルで送られてもよく、また、同じＬ個のシグナリングシンボルがウォルシュマトリクスを用いて拡散され、別のタイルで送られてもよい。
【００３３】
図４は、各タイルのローカル拡散（localized spreading）を用いるシグナリング送信の設計を示す。Ｌ個のシグナリングシンボルのベクトル、ａ＝[Ａ１．．．ＡＬ]Ｔは、Ｍ個のスプレッダ４１０ａ乃至４１０mに提供されてもよいが、ここで「Ｔ」は転置（transpose）を示す。各スプレッダ４１０は、それぞれのベース拡散マトリクスＳｍを用いてＬ個のシグナリングシンボルを拡散して、Ｌ個の出力シンボルのベクトル、ｚｍ＝［Ｚ１ｍ．．．ＺＬｍ］Ｔを提供してもよいが、ここで、ｍ∈{１，．．．，Ｍ}である。各スプレッダ４１０からのＬ個の出力シンボルはそれぞれのタイル中のＬ個のリソースユニットにマッピングされてもよい。従って、各シグナリングシンボルは、Ｍ個のタイル中のＭ・Ｌ個のリソースユニット上で送られてもよい。
【００３４】
各シグナリングシンボルは、各タイル中のＬ個のリソースユニットにわたって当該タイル用の当該シグナリングシンボルのための拡散シーケンスに基づいて拡散され得る。
【００３５】
Ｌ個のシグナリングシンボルのベクトルの拡散は次のように表現され得る:
【数６】
2014239505.tif 000008
【００３６】
ここで、Ｓｍただしｍ∈{１，．．．，Ｍ}は、タイルｍのベース拡散マトリクスであり、また、ｚmただしｍ∈{１，．．．，Ｍ}は、タイルｍの出力シンボルのベクトルである。
【００３７】
各タイルｍのベース拡散マトリクスは、以下の特性を有するユニタリ行列であってもよい:
【数７】
2014239505.tif 000009
【００３８】
ここで、「Ｈ」は共役転置を示し、Ｉは単位行列である。式（２）は、ベース拡散マトリクスの列が互いに直交し、また各列はユニットパワー（unit power）を有することを示す。
【００３９】
各タイルｍの拡散は以下のように表現され得る:
【数８】
2014239505.tif 000010
【００４０】
式（３）は以下のように拡張してもよい:
【数９】
2014239505.tif 000011
【００４１】
ここで、Ａｌただしｌ∈{１，．．．，Ｌ}は、ベクトルａ中のｌ番目のシグナリングシンボルであり、Ｓｋｌｍは拡散マトリクスＳｍのｋ番目の行のｌ番目の列のエレメントであり、また、Ｚｋｍただしｋ∈{１，．．．，Ｌ}は、タイルｍのｋ番目のリソースユニットの出力シンボルである。
【００４２】
ローカル拡散を用いることで、受信機は各タイルのＬ個の逆拡散シンボルを当該タイルのベース拡散マトリクスを逆にすることによって取得し得る。逆拡散シンボルはシグナリングシンボルの最初の推定（estimates）である。各シグナリングシンボルについて、Ｍ個の逆拡散シンボルはＭ個のタイルから取得され、結合されて、当該シグナリングシンボルの最終の推定が取得され得る。あるいは、受信機は、例えばＭＭＳＥ又はＬＳに基づいて、等化を行なってもよい。この場合、等化に起因する損失は、Ｍ個のタイル全てにわたる代わりに各タイル内のチャネル変化の量に依存し得る。従って、等化損失は、拡散がＭ個のタイル全てにわたる場合よりもローカル拡散を用いると、より小さくなることがあり得る。
【００４３】
図５は、各タイルについてローカル拡散で送られたシグナリングの受信の設計を示す。Ｌ個の受信されたシンボルのベクトル、ｒｍ＝［Ｒ１ｍ．．．ＲＬｍ］Ｔは、Ｌ個のシグナリングシンボルを送るために用いられる各タイルから取得されてもよい。Ｍ個の受信されたシンボルベクトルｒ１乃至ｒＭは、Ｍ個のタイルから取得され、それぞれＭ個のデスプレッダ５１０ａ乃至５１０ｍに供給され得る。各デスプレッダ５１０は、自身の受信されたシンボルベクトルｒｍをそれぞれのベース拡散マトリクスＳｍに基づいて逆拡散してもよく、またＬ個の逆拡散シンボルのベクトルｂｍを供給し得る。コンバイナ５２０は、デスプレッダ５１０ａ乃至５１０ｍから、それぞれＭ個の逆拡散シンボルベクトルｂ１乃至ｂＭを受け取ってもよい。コンバイナ５２０は、これらのＭ個の逆拡散シンボルベクトルを基準化（scale）及び結合して、Ｌ個のシグナリングシンボル推定のベクトル、
【数１０】
2014239505.tif 000012
【００４４】
を取得しうる。
【００４５】
各タイルｍの逆拡散は以下のように表現され得る:
【数１１】
2014239505.tif 000013
【００４６】
ここで、
【数１２】
2014239505.tif 000014
【００４７】
はタイルｍの逆拡散するマトリクスであり、これはＳｍの逆である。
【００４８】
受信機は、送信機によって送信されたＬ個のシグナリングシンボルのサブセットだけに興味を持つことがある。そのとき、受信機は、各タイルｍの所与のシグナリングシンボルＡｌについて、以下のように逆拡散を行ない得る：
【数１３】
2014239505.tif 000015
【００４９】
ここで、Ｒｋｍはベクトルｒｍ中のｋ番目の受信されたシンボルであり、Ｓ’ｋｌｍは逆拡散マトリクス
【数１４】
2014239505.tif 000016
【００５０】
のｍ番目の行でｌ番目の列のエレメントであり、また、Ｂｌｍはベクトルｂｍのｌ番目の逆拡散シンボルであるが、これはシグナリングシンボルＡｌのタイルｍからの逆拡散シンボルである。
【００５１】
受信機は、シグナリングシンボルＡｌのＭ個のタイルにわたって以下のようにシンボル結合を行い得る:
【数１５】
2014239505.tif 000017
【００５２】
ここで、ＷｌｍはシグナリングシンボルＡｌのタイルｍの重みであり、また、
【数１６】
2014239505.tif 000018
【００５３】
はシグナリングシンボルＡｌの最後の推定である。
【００５４】
各タイルの重みＷｌｍは当該タイルについての受信された信号品質に基づいて判定されてもよい。受信された信号品質は、ＳＮ比（ＳＮＲ）又は何らかの他の手段によって定量化され得る。より大きな重みが、より高い受信された信号品質を備えたタイルからの逆拡散シンボルに与えられてもよい。あるいは、同じ重みがＭ個のタイル全てからの逆拡散シンボルに適用されてもよい。
【００５５】
図６は、ローカル拡散を用いてＡＣＫシグナリングを送る送信（ＴＸ）シグナリングプロセッサ６００の設計のブロック図を示す。この設計では、４個のＡＣＫシンボルが拡散され、３つのタイルで送信され得るが、該拡散はタイルごとにローカル化されている。
【００５６】
一つの設計において、ＡＣＫシンボルは、４つの取り得る値のうちの１つを有し得るが、これは以下のように与えられ得る。
【数１７】
2014239505.tif 000019
【００５７】
０のＡＣＫ値はＮＡＫに対応し得るが、これは誤って復号されたパケットについて送られ得る。１のＡＣＫ値は、正確に復号されたパケットを示してもよく、また、現在のリソース割り当てを維持するようにユーザに更に通知してもよい。２のＡＣＫ値は、正確に復号されたパケットを示してもよく、また、現在のリソース割り当てを放棄するようにユーザに更に通知してもよい。３のＡＣＫ値は、現在のリソース割り当てを放棄するようにユーザに通知し得る。ＡＣＫシンボルはまた、２つの取り得る値（例えば、０と１）のうちの１つを有するように、あるいは取り得る値の何らかの他のセットに基づいて定義されうる。
【００５８】
基準化ユニット６１０は、４個のＡＣＫシンボルを受信及び基準化し（scale）得る。ＡＣＫシンボルは、異なる構造（geometries）又はＳＮＲを有する異なるユーザへ送信され得る。各ユーザのＡＣＫシンボルは、適切な利得で基準化されて、ＡＣＫシンボル用の所望のＳＮＲを達成し得る。基準化ユニット６１０は、４個のスクランブラ６１２ａ乃至６１２ｄに対して、それぞれ４個の基準化されたＡＣＫシンボルＡ’０乃至Ａ’３を供給しうる。
【００５９】
各スクランブラ６１２は、自身の基準化されたＡＣＫシンボルＡ’ｌを、ＡＣＫシンボルＡｌが送信されたユーザのスクランブリングシーケンンスからの３つのスクランブル値Ｙｌ０、Ｙｌ１及びＹｌ２でスクランブルしてもよい。異なるユーザは異なるスクランブリングシーケンスを割り当てられ得るが、これはユーザのＭＡＣ  ＩＤ、送信セクタのセクタＩＤ等といったパラメータに基づいて生成されてもよい。スクランブリングは異なるＭＡＣ  ＩＤを有する異なるユーザへの異なるセクタからの信号を区別するために使用されてもよい。各スクランブラ６１２は、３個のスクランブルされたシンボルを３個のスプレッダ６１４ａ、６１４ｂ及び６１４ｃに供給しうる。
【００６０】
各スプレッダ６１４は、４個のスクランブラ６１２ａ乃至６１２ｄから、４個のＡＣＫシンボルのために４個のスクランブルされたシンボルを受け取ってもよい。各スプレッダ６１４は、その４個のスクランブルされたシンボルを、拡散マトリクス（例えば、４×４のＤＦＴマトリクス）を用いて拡散して、４個の出力シンボルを供給し得る。スプレッダ６１４ａ、６１４ｂ及び６１４ｃは、それらの出力シンボルを、シンボル対副搬送波マッパ６１６ａ、６１６ｂ及び６１６ｃにそれぞれ供給しうる。
【００６１】
各マッパ６１６は、その４個の出力シンボルを関連付けられたタイル中の４個のリソースユニットにマッピングしてもよい。マッパ６１６ａはその出力シンボルをタイル１にマッピングしてもよく、マッパ６１６ｂはその出力シンボルをタイル２にマッピングしてもよく、また、マッパ６１６ｃはその出力シンボルをタイル３にマッピングしうる。
【００６２】
各タイルの送信機処理は次のように表現され得る:
【数１８】
2014239505.tif 000020
【００６３】
ここで、ａ＝［Ａ０  Ａ１  Ａ２  Ａ３］Ｔは、４個のＡＣＫシンボルの４×１のベクトルであり、Ｇは、４個のＡＣＫシンボルと他の場所のゼロの対角線に沿った４つの利得を備えた４×４の対角行列であり、Ｙｍは、タイルｍの４個のＡＣＫシンボルの対角線に沿った４個のスクランブリング値を備えた対角行列であり、Ｄは、１枚のタイルの拡散に用いられる４×４のＤＦＴマトリクスであり、また、ｚｍ＝［Ｚ０ｍ  Ｚ１ｍ  Ｚ２ｍ  Ｚ３ｍ］Ｔはタイルｍの出力シンボルの４×１のベクトルである。
【００６４】
各ＡＣＫシンボルＡｌの処理は次のように表現され得る：
【数１９】
2014239505.tif 000021
【００６５】
ここで、
【数２０】
2014239505.tif 000022
【００６６】
は利得であり、ＰＴＸｌはＡＣＫシンボルＡｌの送信電力（transmit power）であり、ＹｌｍはタイルｍのＡＣＫシンボルＡｌのスクランブリング値であり、ＤｋｌはＤＦＴマトリクスＤのｋ番目の行でｌ番目の列のエレメントであり、また、Ｚｋｌｍはタイルｍ中のｋ番目のリソースユニットのＡＣＫシンボルＡｌの出力シンボルである。
【００６７】
式（１０）は、ＡＣＫシンボルＡｌが、ＡＣＫシンボルＡｌの所望の送信電力を達成するために利得Ｇｌで基準化され得ることを示す。次いで、基準化されたＡＣＫシンボルは、３個のスクランブリング値でスクランブルされて、３個のスクランブルされたシンボルが取得され得る。スクランブルされたシンボル各々は、ＤＦＴマトリクスの列中の４個のエレメントで拡散されて、当該スクランブルされたシンボルの１枚のタイルで送信されるべき４個の出力シンボルが取得され得る。合計１２個の出力シンボルがＡＣＫシンボルＡｌについて取得され得る。
【００６８】
４個のＡＣＫシンボル全ての出力シンボルは以下のように結合され得る:
【数２１】
2014239505.tif 000023
【００６９】
ここで、Ｚｋｍは、タイルｍのｋ番目のリソースユニットで送信されるべき出力シンボルである。
【００７０】
図７は、４個のＡＣＫシンボルの１２個の出力シンボルを３枚のタイルで送信する設計を示す。この設計では、各タイルは８個のシンボル期間中の１６個の副搬送波をカバーする。各タイルでは、１８個のリソースユニットはパイロットシンボルのために確保され、また、残りのリソースユニットは他のシンボルを送るために使用され得る。一つの設計において、４個の出力シンボルＺ０ｍ、Ｚ１ｍ、Ｚ２ｍ及びＺ３ｍが、タイルｍの４つの隣接したリソースユニットのクラスタ（cluster）にマッピングされる。４個の出力シンボルを周波数と時間においてともに近接して送ることは、これらの出力シンボルがより少ないチャネル変化を観測する結果をもたらし得るが、これは同様に、直交性のより少ない損失という結果ももたらし得る。図７に示されるように、出力シンボルは３枚のタイル中の異なるシンボル期間にマッピングされてもよい。これは、異なる副搬送波上で送られるシンボルの間でより良好な送信電力共有を可能にし得る。出力シンボルを同じペアのシンボル期間中の複数のクラスタで送信することは、これらの出力シンボルにあまりにも多くの送信電力が用いられ、また、当該ペアのシンボル期間中の残りのシンボルに使用可能な送信電力がより少なくなるという結果になり得る。出力シンボルはまた、他の方法でリソースユニットにマッピングされうる。
【００７１】
図８は、ローカル拡散で送信されたＡＣＫシグナリングを受信する受信（ＲＸ）シグナリングプロセッサ８００の設計のブロック図を示す。明確にするために、図８は１つのＡＣＫシンボルＡｌを回復する処理を示す。
【００７２】
シンボル対副搬送波デマッパ（demappers）８１０ａ、８１０ｂ及び８１０ｃは、ＡＣＫシグナリングを送信するめに使用される３枚のタイルから受信されたシンボルを取得してもよい。各デマッパ８１０は、関連付けられたタイルでＡＣＫシグナリングを送信するために用いられた４個のリソースユニットからの４個の受信されたシンボルを供給し得る。デスプレッダ８１２ａ、８１２ｂ及び８１２ｃは、それぞれデマッパ８１０ａ、８１０ｂ及び８１０ｃからの受信されたシンボルを取得してもよい。４個のＡＣＫシンボルはＤＦＴマトリクスの４つの列を用いて拡散されてもよい。各デスプレッダ８１２は、次いで、その４つの受信されたシンボルを、逆ＤＦＴ（ＩＤＦＴ）マトリクスのｌ番目の列の４個のエレメントで逆拡散し得るが、これは回復されつつあるＡＣＫシンボルＡｌを拡散するのに用いられるＤＦＴマトリクスのｌ番目の列に対応する。デスクランブラ８１４は３個の逆拡散シンボルＢｌ０、Ｂｌ１及びＢｌ２を、それぞれデスプレッダ８１２ａ、８１２ｂ及び８１２ｃから受け取り得る。デスクランブラ８１４は、３個の逆拡散シンボルをＡＣＫシンボルＡｌの３個のスクランブリング値Ｙｌ０、Ｙｌ１及びＹｌ２で乗じて、３個のデスクランブルされたシンボルを供給し得る。コンバイナ８１６は、３枚のタイルについて得られた３つの重みを備えた３つのデスクランブルされたシンボルを基準化してもよく、また次いで、３つの基準化されたシンボルを、例えば式（７）で示されるように結合して、ＡＣＫシンボル推定
【数２２】
2014239505.tif 000024
【００７３】
を取得し得る。受信機処理は、所定の各ＡＣＫシンボルについて繰り返されてもよい。ＡＣＫシンボルＡｌはまた、（例えば、ＭＭＳＥ又はＬＳに基づいた）等化を行ない、デスクランブルすることによって回復されうる。
【００７４】
一般に、任意の利得値Ｇｌは各ＡＣＫシンボルＡｌに使用され得る。フラットフェージングチャネル（flat-fading channel）の場合、４個の拡散されたＡＣＫシンボルは、受信機で直交のままであり、また、各ＡＣＫシンボルは受信されたシンボルを逆拡散することによって回復されてもよい。周波数選択的なチャネルの場合、チャネル変化は直交性の損失という結果になり得るが、これは次いで、各ＡＣＫシンボルが残りのＡＣＫシンボルへの干渉を引き起こすという結果を招き得る。高い出力で送信されたＡＣＫシンボルは、低い出力で送信されたＡＣＫシンボルへの過度の干渉を引き起こすことがあるが、これは次いで、低い出力のＡＣＫシンボルの検出性能を低下させることがある。この影響を緩和するために、４個のＡＣＫシンボルの４つの利得のうちで最低の利得に対する最高の利得の比率は、閾値以下に制限され得る。これは、最も高い出力のＡＣＫシンボルが最も低い出力のＡＣＫシンボルへの過度の干渉を引き起こさないことを確実にし得る。閾値は、チャネル変化に起因する直交性の損失の予期される最大量、所望の検出性能等といった種々の要因に基づいて選択されてもよい。異なるユーザのＡＣＫシンボルはまた、各グループが同様の送信電力を有するＡＣＫシンボルを含むようにグループに分類され得る。
【００７５】
図６及び図８に示される処理はまた、他の方法又は順序で行なわれうる。例えば、スクランブリングは、（図６に示されるように）拡散に先立って、又は拡散の後に行なわれてもよい。基準化は、（図６に示されるように）最初に、又はスクランブリングの後に、又は何らかの他の時点で行なわれてもよい。基準化及び／又はスクランブリングはまた、省略されうる。
【００７６】
明確にするために、ＡＣＫシグナリングの技法の使用が上述された。技法はまた、他のタイプのシグナリングに使用されてもよい。例えば、技法は、出力制御（power control）コマンド、他のセクタ干渉（other-sector-interference）（ＯＳＩ）の表示、アクセス許可、リソース割り当て、パイロット品質の表示、パケットの先頭の表示、逆方向の活動のビット等に使用されうる。
【００７７】
図９は、ローカル拡散を用いてシグナリングを送信する処理９００の設計を示す。処理９００は基地局等といった送信機によって行なわれてもよい。複数のシグナリングシンボルは、出力シンボルの各セットが、例えばＤＦＴマトリクス又はウォルシュマトリクス（ブロック９１２）といった拡散マトリクスを用いて複数のシグナリングシンボルを拡散することによって取得される状態で、出力シンボルの複数のセットを得るために拡散され得る。出力シンボルの複数のセットは複数の時間周波数ブロック又はタイルにマッピングされてもよい（ブロック９１４）。例えば、出力シンボルの各セットは、１つの時間周波数ブロックの隣接したリソースユニットのクラスタにマッピングされてもよい。複数のシグナリングシンボルはＡＣＫシンボル及び/又は他のタイプのシグナリングシンボルを含みうる。
【００７８】
図１０は、ローカル拡散を用いてシグナリングを送信する装置１０００の設計を示す。装置１０００は、出力シンボルの各セットが複数のシグナリングシンボルを拡散マトリクスで拡散して取得される、複数のシグナリングシンボルを拡散して、出力シンボルの複数のセットを取得する手段（モジュール１０１２）と、出力シンボルの複数のセットを複数の時間周波数ブロックにマッピングするする手段（モジュール１０１４）とを備える。
【００７９】
図１１は、ローカル拡散を用いてシグナリングを送信する処理１１００の設計を示す。処理１１００は基地局等といった送信機によって行なわれ得る。複数のシグナリングシンボル（例えば、ＡＣＫシンボル）は、これらのシグナリングシンボルの送信電力に基づいて判定される複数の利得で基準化され得る（ブロック１１１２）。最大の利得の最小の利得に対する比率は所定値未満に制限されてもよい。複数の基準化されたシグナリングシンボルは、それぞれのスクランブリングシーケンスでスクランブルされて、当該シグナリングシンボルの複数のスクランブルされたシンボルが取得されてもよい（ブロック１１１４）。スクランブルされたシンボルの複数のセットは、各セットが複数のシグナリングシンボルの各々について１つのスクランブルされたシンボルを含む状態で、形成され得る（ブロック１１１６）。スクランブルされたシンボルの複数のセットは、出力シンボルの１つのセットをスクランブルされたシンボルの各セットに割り当てるように、（例えば、ＤＦＴマトリクス又はウォルシュマトリクスで）拡散されて、出力シンボルの複数のセットが取得されてもよい（ブロック１１１８）。出力シンボルの複数のセットは、各時間周波数ブロックに出力シンボルの１つのセットを割り当てて、複数の時間周波数ブロックにマッピングされてもよい（ブロック１１２０）。出力シンボルのセットはそれぞれ、１個の時間周波数ブロック中の隣接したリソースユニットのクラスタにマッピングされうる。
【００８０】
図１１の処理はまた、他の順序で行なわれてもよい。処理の一部（例えば、基準化及び/又はスクランブリング）は省略され得る。他の処理もシグナリングシンボルに行なわれうる。
【００８１】
図１２は、ローカル拡散を用いてシグナリングを送信する装置１２００の設計を示す。装置１２００は、複数のシグナリングシンボルを、これらのシグナリングシンボルの送信電力に基づいて判定される複数の利得を用いて複数のシグナリングシンボルを基準化する手段（モジュール１２１２）と、複数の基準化されたシグナリングシンボルの各々を、それぞれのスクランブリングシーケンスを用いてスクランブルする手段（モジュール１２１４）と、スクランブルされたシンボルの複数のセットを、各セットが複数のシグナリングシンボルの各々の１つのスクランブルされたシンボルを含むように、形成する手段（モジュール１２１６）と、スクランブルされたシンボルの複数のセットを拡散して、スクランブルされたシンボルの各セットに出力シンボルの１つのセットを割り当てるようにして、出力シンボルの複数のセットを取得する手段（モジュール１２１８）と、出力シンボルの複数のセットを、出力シンボルの１つのセットを各時間周波数ブロックへと、複数の時間周波数ブロックにマッピングするする手段（モジュール１２２０）とを備える。
【００８２】
図１３は、シグナリングを受信する処理１３００の設計を示す。処理１３００は端末等といった受信機によって行なわれてもよい。受信されたシンボルの複数のセットは、複数のシグナリングシンボル（例えば、ＡＣＫシンボル）拡散を用いて送信するために用いられる複数の時間周波数ブロックから取得されてもよい（ブロック１３１２）。受信されたシンボルの複数のセットは（例えば、IＤＦＴマトリクス又はウォルシュマトリクスといった逆拡散マトリクスに基づいて）逆拡散されて、複数の逆拡散シンボルが取得され得る（ブロック１３１４）。複数のシグナリングシンボルのうちの１つについてのシグナリングシンボル推定は複数の逆拡散シンボルに基づいて導かれてもよい（ブロック１３１６）。処理は所定のシグナリングシンボル各々について繰り返されうる。
【００８３】
図１４は、拡散を用いて送信されたシグナリングを受信する装置１４００の設計を示す。装置１４００は、拡散を用いて複数のシグナリングシンボルを送信するために用いられる複数の時間周波数ブロックから、受信されたシンボルの複数のセットを取得する手段（モジュール１４１２）と、受信されたシンボルの複数のセットを逆拡散して、複数の逆拡散シンボルを取得する手段（モジュール１４１４）と、複数の逆拡散シンボルに基づいて複数のシグナリングシンボルのうちの１つについてのシグナリングシンボル推定を取得する（derive）手段（モジュール１４１６）とを備える。
【００８４】
図１５は、シグナリングを受信する処理１５００の設計を示す。処理１５００は端末等といった受信機によって行なわれ得る。受信されたシンボルの複数のセットは、受信されたシンボルの１つのセットが各時間周波数ブロックから取得されるようにして、複数の時間周波数ブロックから取得され得る（ブロック１５１２）。受信されたシンボルの各セットは、逆拡散マトリクスに基づいて逆拡散されて、逆拡散シンボルが取得され得る（ブロック１５１４）。複数の逆拡散シンボルは、受信されたシンボルの複数のセットについて取得されてもよく、また、デスクランブルされて複数のデスクランブルされたシンボルが取得され得る（ブロック１５１６を閉鎖する）。複数のデスクランブルされたシンボルは結合されて、複数のシグナリングシンボルのうちの１つについてシグナリングシンボル推定が取得され得る（ブロック１５１８）。ブロック１５１８については、複数の時間周波数ブロックの複数の重みは、例えば、これらの時間周波数ブロックの受信された信号品質に基づいて、判定されてもよい。複数のデスクランブルされたシンボルは、複数の重みで基準化されて、複数の基準化されたシンボルが取得され得る。複数の基準化されたシンボルは次いで結合されて、シグナリングシンボル推定が取得され得る。受信機による処理は送信機による処理に依存し得る。
【００８５】
図１６は、ローカル拡散で送信されたシグナリングを受信する装置１６００の設計を示す。装置１６００は、受信されたシンボルの複数のセットを複数の時間周波数ブロックから、受信されたシンボルの１つのセットを各時間周波数ブロックからというように、取得する手段（モジュール１６１２）と、受信されたシンボルの各セットを逆拡散マトリクスに基づいて逆拡散して、逆拡散シンボルを取得する手段（モジュール１６１４）と、複数の逆拡散シンボルをデスクランブルして複数のデスクランブルされたシンボルを取得する手段（モジュール１６１６）と、複数のデスクランブルされたシンボルを結合して、複数のシグナリングシンボルのうちの１つについてシグナリングシンボル推定を取得する手段（モジュール１６１８）とを備える。
【００８６】
図１０、図１２、図１４及び図１６の中のモジュールは、プロセッサ、電子デバイス、ハードウェアデバイス、電子部品、論理回路、メモリ等、又はこれらの任意の組み合わせを備え得る。
【００８７】
図１７は、基地局１１０及び端末１２０の設計のブロック図を示すが、これらは、図１の中の基地局のうちの１つ及び端末のうちの１つである。基地局１１０において、送信（ＴＸ）データ及びシグナリングプロセッサ１７１０は、トラヒックデータをデータソース（図示せず）から、及び／又は、シグナリングをコントローラ/プロセッサ１７４０から受信し得る。プロセッサ１７１０は、トラヒックデータ及びシグナリングを処理し（例えば、フォーマットし、符号化し、インタリーブし、またシンボルマッピングし）、データ及びシグナリングシンボルを供給し得る。プロセッサ１７１０はまた、パイロットシンボルを生成し得る。変調器（ＭＯＤ）１７２０は、データ、シグナリング及びパイロットシンボル（例えば、ＯＦＤＭＡの）を処理し、出力チップを提供し得る。送信機（ＴＭＴＲ）１７２２は、出力チップを処理し（例えば、アナログに変換し、増幅し、フィルタリングし、周波数アップコンバートし）、順方向リンク信号を生成し得るが、これはアンテナ１７２４を介して送信され得る。
【００８８】
端末１２０において、アンテナ１７５２は、基地局１１０及び他の基地局から順方向リンク信号を受信してもよく、また、受信された信号を受信機（ＲＣＶＲ）１７５４に供給してもよい。受信機１７５４は、受信された信号を調整し（例えば、フィルタリングし、増幅し、周波数ダウンコンバートし、またデジタル化し）、受信されたサンプルを供給し得る。復調器（ＤＥＭＯＤ）１７６０は、受信されたサンプル（例えば、ＯＦＤＭＡの）に対して復調を行ない、受信されたシンボルを供給し得る。受信（ＲＸ）データ及びシグナリングプロセッサ１７７０は、受信されたシンボルを処理し（例えば、シンボルデマッピングし、デインタリーブし、また復号し）、端末１２０へ送信されたシグナリング及び復号されたデータを取得し得る。
【００８９】
逆方向リンク上では、端末１２０において、端末１２０によって送信されるべきシグナリング及びトラヒックデータが、ＴＸデータ及びシグナリングプロセッサ１７９０によって処理され、変調器１７９２によって変調され、送信機１７９４によって調整され、またアンテナ１７５２を介して送信され得る。基地局１１０において、端末１２０及びあるいは他の端末からの逆方向リンク信号は、アンテナ１７２４によって受信され、受信機１７３０によって調整され、復調器１７３２によって復調され、ＲＸデータ及びシグナリングプロセッサ１７３４によって処理されて、端末によって送信されたシグナリング及びトラヒックデータを回復し得る。逆方向リンク送信の処理は、順方向リンク送信の処理と類似していても、あるいは異なっていてもよい。
【００９０】
コントローラ／プロセッサ１７４０及び１７８０は、それぞれ基地局１１０及び端末１２０の動作を指示し得る。メモリ１７４２及び１７８２は、それぞれ基地局１１０及び端末１２０のデータ及びプログラムコードを格納し得る。スケジューラ１７４４は、順方向リンク送信及び/又は逆方向リンク送信について端末をスケジュールし、スケジュールされたＵＥについてリソース（例えば、タイル）の割り当てを供給し得る。
【００９１】
シグナリング送信については、プロセッサ１７１０及び/又は１７９０は、図４又は図６に示される処理、図９の処理９００、図１１の処理１１００、及び／又は本明細書に記載される技法の他の処理を行い得る。シグナリング受信については、プロセッサ１７３４及び/又は１７７０は、図５又は図８に示される処理、図１３の処理１３００、図１５の処理１５００、及び/又は本明細書に記載される技法の他の処理を行い得る。
【００９２】
本明細書に記載される技法は種々の手段によって実施され得る。例えば、これらの技法はハードウェア、ファームウェア、ソフトウェア又はこれらの組み合わせで実施されてもよい。ハードウェアでの実施の場合、エンティティ（例えば、基地局又は端末）で技法を行なうために使用される処理装置は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書に記載される機能を行うように設計された他の電子デバイス、又はこれらの組み合わせの内で実施されてもよい。
【００９３】
ファームウェア及び／又はソフトウェアでの実施の場合、技法は本明細書に記載された機能を行なうモジュール（例えば、プロシージャ、関数等）で実施されてもよい。ファームウェア及び／又はソフトウェアの命令／コードは、メモリ（例えば、図１７のメモリ１７４２又は１７８２）に格納され、プロセッサ（例えば、プロセッサ１７４０又は１７８０）によって実行されてもよい。メモリはプロセッサ内に実装されるか、又はプロセッサの外部に実装されてもよい。ファームウェア及び／又はソフトウェアの命令／コードはまた、ランダムアクセスメモリ（ＲＡＭ）、読み出し専用メモリ（ＲＯＭ）、不揮発性のランダムアクセスメモリ（ＮＶＲＡＭ）、プログラマブル読取専用メモリ（ＰＲＯＭ）、電気的消去可能なＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気データ記憶装置、光学データ記憶装置等といった、コンピュータ／プロセッサ読み取り可能な媒体に格納され得る。命令／コードは、一つ又は複数のプロセッサによって実行可能であってもよく、また、プロセッサに本明細書に記載される機能性の一部の面を行なわせてもよい。
【００９４】
本開示の先の記載は、如何なる当業者も本開示を作成又は使用することを可能にするために提供される。本開示への種々の変更は当業者に容易に明白になるであろうし、また、本明細書に定義された一般的な原理は、本開示の範囲及び精神から逸脱することなく他のバリエーションに適用され得る。従って、本開示は、本明細書に記載される例及び設計に限定されることを意図されたものではないが、本明細書に示された原理及び新規な特徴と一致する最も広い範囲と合致すべきである。
【図１】
2014239505.tif 000025
【図２】
2014239505.tif 000026
【図３】
2014239505.tif 000027
【図４】
2014239505.tif 000028
【図５】
2014239505.tif 000029
【図６】
2014239505.tif 000030
【図７】
2014239505.tif 000031
【図８】
2014239505.tif 000032
【図９】
2014239505.tif 000033
【図１０】
2014239505.tif 000034
【図１１】
2014239505.tif 000035
【図１２】
2014239505.tif 000036
【図１３】
2014239505.tif 000037
【図１４】
2014239505.tif 000038
【図１５】
2014239505.tif 000039
【図１６】
2014239505.tif 000040
【図１７】
2014239505.tif 000041
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
出力シンボルの第１のセットを取得するために第１の拡散行列に基づき、且つ出力シンボルの第２のセットを取得するために第２の拡散行列に基づく少なくとも１つのシグナリングシンボルを処理することと、
第１の時間周波数ブロックに前記出力シンボルの第１のセットをマッピングすることと、
第２の、異なる時間周波数ブロックに前記出力シンボルの第２のセットをマッピングすることと
を備え、前記第１および第２の時間周波数ブロックの各々は、複数のシンボルピリオドにおける複数のサブキャリアをカバーする、
方法。
【手続補正２】
【補正対象書類名】明細書
【補正対象項目名】００９４
【補正方法】変更
【補正の内容】
【００９４】
本開示の先の記載は、如何なる当業者も本開示を作成又は使用することを可能にするために提供される。本開示への種々の変更は当業者に容易に明白になるであろうし、また、本明細書に定義された一般的な原理は、本開示の範囲及び精神から逸脱することなく他のバリエーションに適用され得る。従って、本開示は、本明細書に記載される例及び設計に限定されることを意図されたものではないが、本明細書に示された原理及び新規な特徴と一致する最も広い範囲と合致すべきである。
以下に、本願出願の当初の特許請求の範囲に記載された発明を付記する。
［Ｃ１］
複数のシグナリングシンボルを拡散して出力シンボルの複数のセットを取得し、出力シンボルの各セットは、前記複数のシグナリングシンボルを拡散マトリクスを用いて拡散することによって取得されており、また、前記出力シンボルの複数のセットを複数の時間周波数ブロックにマッピングするように構成された、少なくとも１つのプロセッサと、
前記少なくとも１つのプロセッサに結合されたメモリと
を備える、無線通信のための装置。
［Ｃ２］
前記拡散マトリクスは、離散フーリエ変換（ＤＦＴ）マトリクス又はウォルシュマトリクスを備える、［Ｃ１］に記載の装置。
［Ｃ３］
前記少なくとも１つのプロセッサは、前記複数のシグナリングシンボルをスクランブルして、スクランブルされたシンボルを取得し、前記スクランブルされたシンボルを拡散して、前記出力シンボルの複数のセットを取得するように構成される、［Ｃ１］に記載の装置。
［Ｃ４］
前記少なくとも１つのプロセッサは、前記複数のシグナリングシンボルの各々をそれぞれのスクランブリングシーケンスでスクランブルして、前記シグナリングシンボルについて複数のスクランブルされたシンボルを取得し、各セットが前記複数のシグナリングシンボルの各々についての１つのスクランブルされたシンボルを含むように、スクランブルされたシンボルの複数のセットを形成し、スクランブルされたシンボルの各セットについて出力シンボルの１つのセットというように、前記スクランブルされたシンボルの複数のセットを拡散して、前記出力シンボルの複数のセットを取得するように構成される、［Ｃ１］に記載の装置。
［Ｃ５］
前記少なくとも１つのプロセッサは、前記複数のシグナリングシンボルを、前記複数のシグナリングシンボルの送信電力に基づいて判定された複数の利得を用いて基準化するように構成される、［Ｃ１］に記載の装置。
［Ｃ６］
前記少なくとも１つのプロセッサは、前記複数の利得のうちで最大の利得と最小の利得とを判定し、前記最大の利得の前記最小の利得に対する比率を所定値未満に制限するように構成される、［Ｃ５］に記載の装置。
［Ｃ７］
前記少なくとも１つのプロセッサは、前記出力シンボルの複数のセットの各々を、前記複数の時間周波数ブロックのうちの１つの中の隣接するリソースユニットのクラスタへマッピングするように構成される、［Ｃ１］に記載の装置。
［Ｃ８］
前記複数のシグナリングシンボルは肯定応答（ＡＣＫ）シンボルを備える、［Ｃ１］に記載の装置。
［Ｃ９］
複数のシグナリングシンボルを拡散して、出力シンボルの複数のセットを取得し、出力シンボルの各セットは前記複数のシグナリングシンボルを拡散マトリクスを用いて拡散することによって取得され、
前記出力シンボルの複数のセットを複数の時間周波数ブロックにマッピングする
ことを含む、無線通信のための方法。
［Ｃ１０］
前記複数のシグナリングシンボルをスクランブルして、スクランブルされたシンボルを取得し、前記複数のシグナリングシンボルの前記拡散は、前記スクランブルされたシンボルを拡散して、前記出力シンボルの複数のセットを取得する
ことを更に含む、［Ｃ９記載の方法。
［Ｃ１１］
前記複数のシグナリングシンボルを、前記複数のシグナリングシンボルの送信電力に基づいて判定される複数の利得を用いて基準化する
ことを更に含む、［Ｃ９記載の方法。
［Ｃ１２］
前記出力シンボルの複数のセットを前記マッピングすることは、前記出力シンボルの複数のセットの各々を、前記複数の時間周波数ブロックのうちの１つの中の隣接するリソースユニットのクラスタへマッピングすることを含む、［Ｃ９］に記載の方法。
［Ｃ１３］
複数のシグナリングシンボルを拡散して、出力シンボルの複数のセットを取得する手段であって、出力シンボルの各セットは、前記複数のシグナリングシンボルを拡散マトリクスで拡散することによって取得される、手段と、
前記出力シンボルの複数のセットを複数の時間周波数ブロックにマッピングする手段と
を備える、無線通信のための装置。
［Ｃ１４］
前記複数のシグナリングシンボルをスクランブルして、スクランブルされたシンボルを取得する手段を更に備え、
前記複数のシグナリングシンボルを拡散する前記手段は、前記スクランブルされたシンボルを拡散して、前記出力シンボルの複数のセットを取得する手段を備える、［Ｃ１３記載の装置。
［Ｃ１５］
前記出力シンボルの複数のセットをマッピングする前記手段は、前記出力シンボルの複数のセットの各々を、前記複数の時間周波数ブロックのうちの１つの中の隣接するリソースのクラスタにマッピングする手段を備える、［Ｃ１３記載の装置。
［Ｃ１６］
コンピュータに、複数のシグナリングシンボルを拡散させて、出力シンボルの複数のセットを取得させるコードであって、出力シンボルの各セットは前記複数のシグナリングシンボルを拡散マトリクスで拡散させることによって取得される、コードと、
前記コンピュータに、前記出力シンボルの複数のセットを複数の時間周波数ブロックにマッピングさせるコードと
を含むコンピュータ読み取り可能な媒体
を備える、コンピュータプログラムプロダクト。
［Ｃ１７］
複数のシグナリングシンボルを拡散を用いて送信するために用いられる複数の時間周波数ブロックから、受信されたシンボルの複数のセットを取得し、前記受信されたシンボルの複数のセットを逆拡散して、複数の逆拡散シンボルを取得し、前記複数の逆拡散シンボルに基づいて、前記複数のシグナリングシンボルのうちの１つについてのシグナリングシンボル推定を得るように構成された、少なくとも１つのプロセッサと、
前記少なくとも１つのプロセッサと結合されるメモリと
を備える、無線通信のための装置。
［Ｃ１８］
前記少なくとも１つのプロセッサは、前記受信されたシンボルの複数のセットの各々を、逆拡散マトリクスを用いて逆拡散して、前記複数の逆拡散シンボルのうちの１つを取得するように構成される、［Ｃ１７記載の装置。
［Ｃ１９］
前記逆拡散マトリクスは、逆離散フーリエ変換（ＩＤＦＴ）マトリクス又はウォルシュマトリクスを備える、［Ｃ１８記載の装置。
［Ｃ２０］
前記少なくとも１つのプロセッサは、前記複数の逆拡散シンボルをデスクランブルして、複数のデスクランブルされたシンボルを取得し、前記複数のデスクランブルされたシンボルに基づいて前記シグナリングシンボル推定を得るように構成される、［Ｃ１７記載の装置。
［Ｃ２１］
前記少なくとも１つのプロセッサは、前記複数の時間周波数ブロックについての複数の重みを判定し、前記複数の逆拡散シンボルを前記複数の重みで基準化して、複数の基準化されたシンボルを取得し、前記複数の基準化されたシンボルを結合して、前記シグナリングシンボル推定を取得するように構成される、［Ｃ１７記載の装置。
［Ｃ２２］
前記少なくとも１つのプロセッサは、前記受信されたシンボルの複数のセットの各々を、前記複数の時間周波数ブロックのうちの１つの中の隣接するリソースユニットのクラスタから取得するように構成される、［Ｃ１７記載の装置。
［Ｃ２３］
前記複数のシグナリングシンボルは肯定応答（ＡＣＫ）シンボルを備える、［Ｃ１７記載の装置。
［Ｃ２４］
受信されたシンボルの複数のセットを、複数のシグナリングシンボルを拡散を用いて送信するために用いられる複数の時間周波数ブロックから取得し、
前記受信されたシンボルの複数のセットを逆拡散して複数の逆拡散シンボルを取得し、
前記複数の逆拡散シンボルに基づいて前記複数のシグナリングシンボルのうちの１つについてのシグナリングシンボル推定を得る
ことを含む、無線送信のための方法。
［Ｃ２５］
前記複数の逆拡散シンボルをデスクランブルして、複数のデスクランブルされたシンボルを取得し、
前記複数のデスクランブルされたシンボルに基づいて前記シグナリングシンボル推定を導く
ことを更に含む、［Ｃ２４記載の方法。
［Ｃ２６］
前記受信されたシンボルの複数のセットの前記逆拡散することは、前記受信されたシンボルの複数のセットの各々を逆拡散マトリクスを用いて逆拡散して、前記複数の逆拡散シンボルのうちの１つを取得することを含む、［Ｃ２４記載の方法。
［Ｃ２７］
前記シグナリングシンボル推定を前記得ることは、
前記複数の時間周波数ブロックについての複数の重みを判定し、
前記複数の逆拡散シンボルを前記複数の重みを用いて基準化して、複数の基準化されたシンボルを取得し、
前記複数の基準化されたシンボルを結合して、前記シグナリングシンボル推定を取得する
ことを含む、［Ｃ２４記載の方法。
［Ｃ２８］
前記受信されたシンボルの複数のセットを前記取得することは、前記受信されたシンボルの複数のセットの各々を、前記複数の時間周波数ブロックのうちの１つの中の隣接するリソースユニットのクラスタから取得することを含む、［Ｃ２４記載の方法。
［Ｃ２９］
受信されたシンボルの複数のセットを、複数のシグナリングシンボルを拡散を用いて送信するために用いられる複数の時間周波数ブロックから取得する手段と、
前記受信されたシンボルの複数のセットを逆拡散して、複数の逆拡散シンボルを取得する手段と、
前記複数の逆拡散シンボルに基づいて前記複数のシグナリングシンボルのうちの１つについてのシグナリングシンボル推定を得る手段と
を備える、無線通信のための装置。
［Ｃ３０］
前記複数の逆拡散シンボルをデスクランブルして、複数のデスクランブルされたシンボルを取得する手段と、
前記複数のデスクランブルされたシンボルに基づいて前記シグナリングシンボル推定を得る手段と
を更に備える、［Ｃ２９記載の装置。
［Ｃ３１］
前記受信されたシンボルの複数のセットを前記逆拡散する手段は、前記受信されたシンボルの複数のセットの各々を拡散マトリクスを用いて逆拡散して、前記複数の逆拡散シンボルのうちの１つを取得する手段を備える、［Ｃ２９記載の装置。
［Ｃ３２］
コンピュータに、受信されたシンボルの複数のセットを、拡散を用いて複数のシグナリングシンボルを送信するために用いられる複数の時間周波数ブロックから取得させるコードと、
前記コンピュータに、前記受信されたシンボルの複数のセットを逆拡散させて、複数の逆拡散シンボルを取得させるコードと、
前記コンピュータに、前記複数の逆拡散シンボルに基づいて前記複数のシグナリングシンボルのうちの１つについてのシグナリングシンボル推定を得させるコードと
を含むコンピュータ読み取り可能な媒体
を備える、コンピュータプログラムプロダクト。